(57)【要約】      （修正有）【課題】患者への負担を低減した照明装置を提供する。【解決手段】光軸と交差する面２１上に設けられた複数の発光素子１６と、複数の発光素子１６に対応するように設けられ、焦点を有する曲線の断面を有した複数の反射鏡２３と、を備える。複数の反射鏡は、光軸と交差する面上で光軸に対応する中央の第１領域２１Ａに設けられ、対応する複数の発光素子１６を焦点近傍の焦点領域内に位置するように設けた少なくとも１以上の第１反射鏡２３Ａと、第１領域２１Ａから光軸と交差する方向に外れて光軸と交差する面上に位置した第２領域２１Ｂに設けられ、光軸上の一領域に集光するように角度偏心を持ち、対応する複数の発光素子のうちの一つを前記焦点近傍の第２焦点領域よりも遠い位置に設けられたマージン領域内に位置させるように設けた少なくとも１以上の第２反射鏡２３Ｂと、を有する。【選択図】図３
2018181520.tif 000002
【特許請求の範囲】
【請求項１】
光軸と交差する面上に設けられた複数の発光素子と、
前記複数の発光素子に対応するように設けられた複数の反射鏡であって、前記複数の反射面のそれぞれが、少なくとも一つの焦点を有する曲線の断面を有した複数の反射鏡と、
を備えた照明装置であって、
前記複数の反射鏡は、
前記光軸と交差する面上で前記光軸に対応する中央の第１領域に対応して設けられた少なくとも１以上の第１反射鏡であって、前記少なくとも１以上の第１反射鏡が、対応する前記複数の発光素子を焦点近傍の焦点領域内に位置するように設けられた、少なくとも１以上の第１反射鏡と、
前記第１領域から前記光軸と交差する方向に外れて前記光軸と交差する面上に位置した第２領域に対応して設けられた少なくとも１以上の第２反射鏡であって、前記少なくとも１以上の第２反射鏡が、前記光軸上の一領域に集光するように角度偏心を持ち、対応する前記複数の発光素子を焦点近傍の第２焦点領域よりも遠い位置に設けられたマージン領域内に位置するように設けられた、少なくとも１以上の第２反射鏡と、
を有する照明装置。
【請求項２】
前記少なくとも１以上の第２反射鏡は、
前記第１領域側に位置した一方の第２反射鏡と、
前記一方の第２反射鏡よりも前記第１領域から遠い位置に設けられた他方の第２反射鏡と、を含み、
前記他方の第２反射鏡の前記曲線の頂点から前記他方の第２反射鏡に対応する前記複数の発光素子のうちの一つまでの距離は、前記一方の第２反射鏡の前記曲線の頂点から前記一方の第２反射鏡に対応する前記複数の発光素子のうちの一つまでの距離よりも大きい請求項１に記載の照明装置。
【請求項３】
前記マージン領域は、
前記曲線の頂点から前記焦点までの距離に対して１％相当の距離を、前記焦点から前記光軸に沿う方向で前記頂点から遠ざかる方向に移動した点と、
前記曲線の頂点から前記焦点までの距離に対して１０％相当の距離を、前記焦点から前記光軸に沿う方向で前記頂点から遠ざかる方向に移動した点と、
の間の領域として規定される請求項２に記載の照明装置。
【請求項４】
前記焦点領域および前記第２焦点領域は、
前記曲線の頂点から前記焦点までの距離に対して０％以上１％未満相当の距離を、前記焦点から前記光軸に沿う方向で前記頂点に近づく方向に移動した点と、
前記曲線の前記頂点から前記焦点までの距離に対して０％以上１％未満相当の距離を、前記焦点から前記光軸に沿う方向で前記頂点から遠ざかる方向に移動した点と、
の間の領域として規定される請求項１に記載の照明装置。
【請求項５】
前記複数の発光素子は、前記光軸と交差する方向に直線的に並ぶ請求項１に記載の照明装置。
【請求項６】
前記曲線は、２次曲線である請求項１に記載の照明装置。
【請求項７】
前記複数の発光素子のそれぞれは、ＬＥＤである請求項１に記載の照明装置。
【請求項８】
前記複数の反射鏡に対向して設けられた基板と、
前記複数の反射鏡を露出させるように前記基板に設けられた複数の開口部と、
前記基板に設けられた複数の支持部であって、前記複数の支持部のそれぞれは、前記複数の開口部のそれぞれの内側に位置して前記複数の発光素子のそれぞれを支持した、複数の支持部と、
を備える請求項７に記載の照明装置。
【請求項９】
前記複数の発光素子は、前記複数の支持部の前記複数の反射鏡に対向する面側に設けられる請求項８に記載の照明装置。
【請求項１０】
前記第２領域に対応する位置に設けられた前記複数の支持部のそれぞれは、これに対応する前記少なくとも１以上の第２反射鏡のそれぞれの中央部に対して、前記第１領域から遠ざかる方向に位置ずれした請求項８に記載の照明装置。
【請求項１１】
前記位置ずれの大きさは、前記第１領域から遠ざかるにつれて大きくなる請求項１０に記載の照明装置。
【発明の詳細な説明】
【技術分野】
【０００１】
本実施形態は、光を対象物に照射することが可能な照明装置に関する。
【背景技術】
【０００２】
歯科医療の用途で用いられるＬＥＤ照明装置がある。このようなＬＥＤ照明装置は、複数の発光素子を用いることで、必要な照度を確保するように構成される場合が多い。
【先行技術文献】
【特許文献】
【０００３】
【特許文献１】特開２０１７−１６９００号公報
【特許文献２】特開２０１３−２１１０９８号公報
【発明の概要】
【発明が解決しようとする課題】
【０００４】
医療用途の照明装置の場合、使用者（医師、歯科医師）の使い勝手のみならず、患者への負担を低減させる観点からも改良が望まれる。患者への負担を低減した照明装置に対するニーズが存在していた。
【課題を解決するための手段】
【０００５】
実施形態の照明装置は、光軸と交差する面上に設けられた複数の発光素子と、前記複数の発光素子に対応するように設けられた複数の反射鏡であって、前記複数の反射鏡のそれぞれが、少なくとも一つの焦点を有する曲線の断面を有した複数の反射鏡と、を備え、前記複数の反射鏡は、前記光軸と交差する面上で前記光軸に対応する中央の第１領域に対応して設けられた少なくとも１以上の第１反射鏡であって、前記少なくとも１以上の第１反射鏡のそれぞれが、対応する前記複数の発光素子のうちの一つを前記焦点近傍の焦点領域内に位置させるように設けられた、少なくとも１以上の第１反射鏡と、前記第１領域から前記光軸と交差する方向に外れて前記光軸と交差する面上に位置した第２領域に対応して設けられた少なくとも１以上の第２反射鏡であって、前記少なくとも１以上の第２反射鏡のそれぞれが、前記光軸上の一領域に集光するように角度偏心を持ち、対応する前記複数の発光素子のうちの一つを前記焦点近傍の第２焦点領域よりも前記少なくとも１以上の第２反射鏡のそれぞれから遠い位置に設けられたマージン領域内に位置させるように設けられた、少なくとも１以上の第２反射鏡と、を有する。
【図面の簡単な説明】
【０００６】
【図１】第１実施形態に係る照明装置を示す斜視図である。
【図２】図１に示すＦ２−Ｆ２線で照明装置の支持本体、ランプシェード部、カバーを切断して内部を示した断面図である。
【図３】図１に示す照明装置を示す正面図である。
【図４】図１に示す照明装置の照明ユニットの一つを分解して示す斜視図である。
【図５】図３に示すＦ５−Ｆ５線に沿った断面図である。
【図６】実施形態の照明装置を用いて患者の口腔に向けて光を照射する様子を模式的に示す模式図である。
【図７】発光素子および放物面反射鏡を用いたシミュレーション用のモデルを示す模式図である。
【図８】図７に示すモデルを用いて、放物面の焦点を基準に、放物面の頂点に近づく方向および放物面の頂点から遠ざかる方向に発光素子を位置ずれさせたときの放物面反射鏡で反射される光の収束性を示したグラフである。
【図９】図７に示すモデルを用いて、放物面の焦点を基準に、放物面の頂点から遠ざかる方向に発光素子を位置ずれさせたときの放物面反射鏡で反射される光の収束性を示したグラフである。
【図１０】図８、図９に示す結果から焦点の周囲にマージン領域を設定した、発光素子列の端部付近の発光素子、第２反射鏡のモデルを示した模式図である。
【図１１】図１０に示す模式図のマージン領域内に発光素子を配置させるように照明装置の光軸方向に発光素子を位置ずれさせた、発光素子列の端部付近の発光素子、第２反射鏡のモデルを示した模式図である。
【図１２】図８、図９に示す結果から焦点の周囲にマージン領域を設定した、第１変形例にかかる発光素子列の端部付近の発光素子、第２反射鏡のモデルを示した模式図である。
【図１３】図１２に示す模式図のマージン領域内に発光素子を配置させるように発光素子の個別光軸方向に発光素子を位置ずれさせた、第１変形例の発光素子列の端部付近の発光素子、第２反射鏡のモデルを示した模式図である。
【図１４】第１実施形態にかかる照明ユニット（基板、発光素子、およびミラーブロック）を示す断面図である。
【図１５】図１４に示す照明ユニットを用いて光の収束性を評価するモデルを示し、スクリーンと発光素子等の位置関係を概略的に示した模式図である。
【図１６】図１５に示すモデルと同様の位置関係で、参考例の照明装置を用いて照度分布を最大値６００００ルクスで解析し、照度分布を等高線として示した図である。
【図１７】図１５に示すモデルと同様の位置関係で、参考例の照明装置を用いて照度分布を最大値１２００ルクスで解析し、照度分布を等高線として示した図である。
【図１８】図１７に示すＡ−Ａ´断面、Ｂ−Ｂ´断面、Ｃ−Ｃ´断面を示す図である。
【図１９】図１５に示すモデルを用い、図１４に示す照明ユニットを２個採用して図１〜図３のように配置した実施形態の照明装置を用いて照度分布を最大値６００００ルクスで解析し、照度分布を等高線として示した図である。
【図２０】図１５に示すモデルを用い、図１４に示す照明ユニットを２個採用して図１〜図３のように配置した実施形態の照明装置を用いて照度分布を最大値１２００ルクスで解析し、照度分布を等高線として示した図である。
【図２１】図２０に示すＡ−Ａ´断面、Ｂ−Ｂ´断面、Ｃ−Ｃ´断面を示す図である。
【図２２】第１実施形態の第２変形例にかかる照明装置の照明ユニット（基板、発光素子、およびミラーブロック）を示す断面図である。
【図２３】第１実施形態の第３変形例にかかる照明装置の照明ユニット（基板、発光素子、およびミラーブロック）を示す断面図である。
【図２４】第２実施形態に係る照明装置を示す斜視図である。
【図２５】図２４に示すＦ２５−Ｆ２５線で照明装置の支持本体、ランプシェード部、カバーを切断して内部を示した断面図である。
【発明を実施するための形態】
【０００７】
［第１実施形態］
以下、図１〜図２１を参照して、照明装置の第１実施形態について説明する。この照明装置１１は、主として歯科医療の用途に用いられるものであるが、他の医療用の用途や卓上ランプにも当然に適用できる。照明装置１１は、一対の照明ユニット１２（発光素子列）を有する。
【０００８】
図１から図３に示すように、照明装置１１は、支持本体１３と、支持本体１３と連続するように枠状に設けられたランプシェード部１４と、ランプシェード部１４の遠位側の端部（支持本体１３側の端部とは反対側の端部）を覆うように設けられた透光性のあるカバー１５と、支持本体１３に脚部１７等を介して固定された一対の照明ユニット１２（発光素子１６のアレイ）と、を有する。支持本体１３は、アーム等によって支持され、例えば、患者に対向するように、当該アームを介して所定の位置・角度に支持されることができる。脚部１７は、例えば断面三角形の形状をなす。照明装置１１全体としての光軸１８（照明光軸）は、後述する複数の発光素子１６から照射される光の集合によって規定される。光軸１８（照明光軸）は、支持本体１３の中央部を通り、支持本体１３と交差（直交）する中心軸に一致する。
【０００９】
さらに、図２、図３に示すように、照明装置１１内には光軸と交差する面２１（発光面）を定義することができる。光軸と交差する面２１の例として、光軸１８と直交する面を挙げることができるが、これに限られるものではない。光軸と交差する面２１の他の例として、光軸１８と略直交する面であってもよい。
【００１０】
光軸と交差する面２１は、光軸１８に対応する中央の第１領域２１Ａと、第１領域２１Ａから光軸１８と交差する方向に外れた第２領域２１Ｂと、を有する。本実施形態では、光軸１８と交差する方向の例として、左右方向（横方向）が挙げられるが、これに限定されるものではない。光軸１８と交差する方向は、例えば上下方向（縦方向）であっても当然によい。
【００１１】
図１から図３に示すように、照明ユニット１２は、複数の反射鏡２３が形成されたミラーブロック２２と、ミラーブロック２２および複数の反射鏡２３に対向して設けられた基板２４と、基板２４の後述する複数の支持部２５上に設けられた複数の発光素子１６（光源）と、を有する。
【００１２】
複数の発光素子１６は、光軸と交差する面２１（発光面）上に、例えば、光軸１８と交差する方向（例えば、左右方向）に、略一定の間隔で直線的に並んで設けられている。複数の発光素子１６のそれぞれは、例えば、白色のＬＥＤで構成されるが、他の色のＬＥＤで構成されてもよい。また、複数の発光素子１６に含まれる一部の発光素子１６の色を、複数の発光素子１６に含まれる他の発光素子１６と色と異なるようにしてもよい。発光素子１６は、商業的に入手可能なものを適宜に使用できる。
【００１３】
基板２４は、ガラスエポキシ樹脂等で構成されたプリント配線板で構成されている。基板２４は、配線層を複数積層して形成したいわゆる多層基板で構成される。基板２４は、細長い板状をなしている。基板２４は、ミラーブロック２２を覆うように設けられていてもよい。基板２４は、基板本体２６と、基板本体２６に設けられた複数の開口部２７と、基板本体２６に設けられた複数の支持部２５と、を有する。複数の開口部２７は、基板２４の延びる方向に沿って直線的に並んで設けられている。複数の支持部２５のそれぞれは、複数の開口部２７のそれぞれの内側に位置される。複数の支持部２５のそれぞれは、複数の反射鏡２３のそれぞれに対応するように設けられている。
【００１４】
図４、図５に示すように、開口部２７は、基板２４の表面と裏面とを貫通した貫通孔部２７Ａを一対に有する。一対の貫通孔部２７Ａは、支持部２５を間に挟んだ両側に設けられている。開口部２７は、例えば略八角形状をなしているが、それ以外の多角形状であってもよい。開口部２７は、ミラーブロック２２の後述する複数の反射鏡２３を外部に露出するように設けられる。このため、複数の開口部２７のそれぞれは、複数の反射鏡２３のそれぞれと対応するように設けられている。
【００１５】
図３、図４に示すように、複数の支持部２５のそれぞれは、開口部２７内に渡されたブリッジ状をなしている。支持部２５は、ブリッジ部２８と、ブリッジ部２８の中間部に設けられた載置部３１と、を有する。この載置部３１に１個の発光素子１６が実装される。載置部３１は、例えば円形をなしてブリッジ部２８の途中に設けられる。発光素子１６は、ブリッジ部２８に設けられた配線を介して電源３２から電力供給を受ける。
【００１６】
第１領域２１Ａに対応する位置にある支持部２５は、これに対応する後述の第１反射鏡２３Ａの中央部に位置するように設けられる。第２領域２１Ｂに対応する位置にある支持部２５は、これに対応する第２反射鏡２３Ｂの中央部に対して、第１領域２１Ａから遠ざかる方向に位置ずれして設けられる。この位置ずれの大きさは、第１領域２１Ａからの位置によって異なる。より具体的には、この支持部２５の第１領域２１Ａから遠ざかる方向の位置ずれの大きさは、支持部２５の位置が第１領域２１Ａ（照明装置１１の中央）から遠ざかるにつれて大きくなる。すなわち、第２領域２１Ｂに対応する位置にある支持部２５のうち、第１領域２１Ａの近傍に位置する支持部２５は、これに対応する第２反射鏡２３Ｂの中央部に対する位置ずれ（第１領域２１Ａから遠ざかる方向の位置ずれ）の大きさは比較的に小さい。また、第２領域２１Ｂに位置する支持部２５のうち、第１領域２１Ａから遠い位置に位置する支持部２５は、これに対応する第２反射鏡２３Ｂの中央部に対する位置ずれ（第１領域２１Ａから遠ざかる方向の位置ずれ）の大きさは比較的に大きい。
【００１７】
ミラーブロック２２は、例えば、樹脂材料等によって細長い板状に形成される。ミラーブロック２２は、複数の反射鏡２３を有する。複数の反射鏡２３は、複数の発光素子１６に対応するように設けられている。複数の反射鏡２３は、ミラーブロック２２の一方の面側に、例えば略一定の間隔で直線的に並んで設けられる。複数の反射鏡２３のそれぞれは、一方の面から略半球状に窪んで設けられる。
【００１８】
ミラーブロック２２は、例えば、以下のような方法で形成できる。樹脂材料によって形成された細長い板材に対して、板材の一方の面側から機械加工（例えば切削加工等）を施して、この一方の面に半球面を形成する。この球面に、例えば蒸着や無電解めっき等の種々の薄膜形成方法によってミラー層を形成することで、ミラーブロック２２に複数の反射鏡２３を形成できる。
【００１９】
複数の反射鏡２３は、少なくとも１以上の第１反射鏡２３Ａと、少なくとも１以上の第２反射鏡２３Ｂと、を含む。少なくとも１以上の第１反射鏡２３Ａは、光軸１８に対応する中央の第１領域２１Ａに対応して設けられている。本実施形態では、第１反射鏡２３Ａは、例えば１個で構成されているが、複数個で構成されていても当然によい。第１反射鏡２３Ａは、第１領域２１Ａに位置する発光素子１６に対向している。第１反射鏡２３Ａの断面は、例えば曲線をなしており、より具体的には２次曲線をなしている。第１反射鏡２３Ａの曲線の断面は、例えば、放物線形であるが、第１反射鏡２３Ａの曲線の断面の形状はこれに限られるものではない。第１反射鏡２３Ａの曲線の断面形状は、放物線以外の２次曲線の形状、例えば、双曲線形や楕円形であってもよい。第１反射鏡２３Ａの曲線の断面が放物線や双曲線で形成される場合には、１つの焦点３３を有することとなる。第１反射鏡２３Ａの曲線の断面が楕円形で形成される場合には、２つの焦点３３を有することとなる。曲線の頂点３４からの焦点３３までの距離は、公知の数式によって数学的に求めることができる。
【００２０】
図３、図４に示すように、少なくとも１以上の第２反射鏡２３Ｂは、第１領域２１Ａから光軸１８と交差（直交）する方向に外れて位置した第２領域２１Ｂに対応して設けられている。本実施形態では、第２反射鏡２３Ｂは、例えば複数個で構成されている。複数の第２反射鏡２３Ｂのそれぞれは、第２領域２１Ｂに位置する複数の発光素子１６のそれぞれに対向している。第２反射鏡２３Ｂのそれぞれは、曲線の断面を有し、その曲線は、例えば２次曲線形状をなしている。第２反射鏡２３Ｂの曲線の断面は、例えば、放物線形状に形成される。しかしながら、第２反射鏡２３Ｂの曲線（放物線）の軸は、光軸１８（照明光軸）上の一領域３５（図１５参照）に向けて光を集めるために、光軸１８に対して斜めになっている。より詳細には、第２反射鏡２３Ｂの曲線の軸、すなわち、個々の発光素子の光軸（個別光軸３６）は、照明装置１１から遠ざかるにつれて光軸１８（照明光軸）に近づくように斜めになっている。第２反射鏡２３Ｂの曲線の軸の傾きは、隣接する他の第２反射鏡２３Ｂの曲線の軸の傾きとは異なっている。すなわち、第２反射鏡２３Ｂの曲線の軸の傾きは、光軸１８に対応する中央の第１領域２１Ａから遠ざかるにつれて大きくなる。
【００２１】
第２反射鏡２３Ｂの曲線の断面の形状は放物線形に限られるものではない。第２反射鏡２３Ｂの曲線の断面の形状は、放物線以外の２次曲線の形状、例えば、双曲線形状や楕円形状であってもよい。第１反射鏡２３Ａの曲線の断面が放物線や双曲線で形成される場合には、１つの焦点３３を有することとなる。第１反射鏡２３Ａの曲線の断面が楕円形で形成される場合には、２つの焦点３３を有することとなる。曲線の頂点３４からの焦点３３までの距離は、公知の数式によって数学的に求めることができる。
【００２２】
ここで発明者らは、図６に示すように、患者の口腔周りの照明対象領域３７に対して、複数の発光素子１６からの光を集めて十分な照度を得つつ、当該照明対象領域３７から外れた位置では照度を著しく抑える照射パターンができるように複数の反射鏡２３および発光素子１６の配置について検討を試みた。当該照明対象領域３７から外れた位置、特に、患者の目の位置では、照度を極端に下げること日本工業規格：ＪＩＳでも求められている（ＪＩＳ  Ｔ５７５３：２０１２歯科用照明器）。発明者らは、患者の目にかかる負担を低減するために、患者の目に光が届かないよう照射パターンのカットオフ特性に優れる照明装置１１の実現に向けて、鋭意検討を行った。
【００２３】
発明者らは、まず、照明ユニット１２（発光素子列）内のどの位置にある発光素子１６が、照明装置１１全体としての光の収束性に最も影響するかを検討した。光の収束性（収束度）は、患者の目の位置に光を当てないようにするために検討すべき重要なパラメータである。結果については省略したが、発光素子列において、中央に位置する発光素子１６および第１反射鏡２３Ａから出る光は、照明装置１１全体としての光の収束性に特段に悪影響を及ぼすことはなかった。一方、発光素子列において、中央の第１領域２１Ａから遠い位置（端部に近い位置）にある発光素子１６および第２反射鏡２３Ｂから出る光ほど、照明対象領域３７から照射パターンがはみ出るボケ（デフォーカス、コマ収差のようなボケ）が顕著に表れることが分かった。このため、このように端部付近に位置する発光素子１６および第２反射鏡２３Ｂから出る光の収束性を改善することが、照明装置１１全体としての光の収束性を改善するために重要であることが分かった。
【００２４】
続いて発明者らは、図７に示す簡略化したモデルを用いて、発光素子１６から照射される光の収束性に関して、理論上の解析を行った。反射鏡２３の断面形状が放物線となるように、反射鏡２３を放物面で形成した。反射鏡２３の放物面の数式として、例えば、
z=0.025×(x2＋y2)＋Ｃ
を用いた。発光素子１６を反射鏡２３の放物線の焦点３３付近に設置した。また、発光素子１６（反射鏡２３）から３００ｍｍ離れた位置に光が照射されるスクリーン３８を設置した。このモデルでは、発光素子１６から照射された光は、反射鏡２３で反射されて光軸１８方向に照射される。このモデルを用いて、反射鏡２３と発光素子１６との距離が、光（照度分布）の収束性に及ぼす影響について検討した。
【００２５】
図８に検討結果を示す。横軸Ｙは、光の中心（光軸１８）からの距離（ｍｍ）を示す。縦軸は、規格化された照度を示す。焦点３３の位置に発光素子１６を置いた場合を±０．００とした。焦点３３を基準（±０．００）に、光軸１８方向で反射鏡２３から遠ざかる方向に発光素子１６を移動させた場合をプラス、光軸１８方向で反射鏡２３に近づく方向に発光素子１６を移動させた場合をマイナスとした。反射鏡２３から遠ざかる方向には、０．１０ｍｍから１．００ｍｍの範囲で発光素子１６の位置を移動させた。反射鏡２３に近づく方向には、０．２５ｍｍから１．０ｍｍの範囲で発光素子１６を移動させた。このシミュレーション結果では、縦軸に関して、発光素子１６を焦点３３に配置したときのスクリーン３８上での照度を１として規格化した。
【００２６】
この結果によれば、発光素子１６を反射鏡２３から遠ざかる方向に移動させるほど、Ｙ軸方向に関して照度分布の幅が小さくなって発光素子１６から照射される光の収束性が良好になり、中心の照度も高くなることが分かった。このように光の収束性が良好になると、患者がまぶしいと感じることがなくなり、発明者ら意図した理想的な照明装置１１を得ることができる。なお、光軸１８方向で反射鏡２３から遠ざかる方向に、焦点３３から発光素子１６を１．００ｍｍ移動させた場合の中心照度は、光軸１８方向で反射鏡２３から遠ざかる方向に、焦点３３から発光素子１６を０．７５ｍｍ移動させた場合の中心照度よりも低下した。一方、光軸１８方向で反射鏡２３に近づける方向に発光素子１６を移動させた場合には、発光素子１６から照射される光の収束性が悪くなることが分かった。
【００２７】
図９には、焦点３３から１．００ｍｍよりも大きい距離だけ発光素子１６を移動させた場合のシミュレーション結果を示す。例えば、焦点３３から１．５０ｍｍ遠ざかるように発光素子１６を移動させた場合には、光の中心照度が低下することが分かった。さらに発光素子１６を焦点３３から２．００ｍｍ遠ざけた場合には、さらに光の中心照度が低下するとともに、光の収束性も悪化することが分かった。
【００２８】
このため、上記のシミュレーション結果から、０．１０ｍｍから１．００ｍｍの範囲内で、発光素子１６の光軸（個別光軸３６）の方向で反射鏡２３から遠ざかる方向に発光素子１６を焦点３３から位置ずれさせることが、光の収束性・照度において、この範囲外の結果よりも顕著に優れるという示唆を得ることができた。このため、発明者らは、発光素子１６列（照明ユニット１２）の第１領域２１Ａから遠い位置（端部付近）に位置する発光素子１６および第２反射鏡２３Ｂに対して、このように焦点３３から発光素子１６を位置ずれさせる構造を適用すれば、当該発光素子１６および第２反射鏡２３Ｂにおいて、照明対象領域３７から照射パターンがはみ出るボケ（光の拡散）を効率よく低減できるという着想を得た。
【００２９】
上記の示唆・着想を得たものの、工業的には、個々の発光素子１６の光軸（個別光軸３６）の方向に発光素子１６の位置をずらすよりも、図１０、図１１に示すように、照明装置１１全体としての光軸１８（照明光軸）の方向に発光素子１６の位置をずらすことが製造コスト等に鑑みて現実的である。このため、本実施形態では、上記した光の収束性・照度が顕著に優れる範囲の示唆を考慮して、図１０に示すように、第２反射鏡２３Ｂの曲線の頂点３４から焦点３３までの距離に対して１％相当の距離を、焦点３３から光軸１８方向で頂点３４から遠ざかる方向に移動した点と、第２反射鏡２３Ｂの曲線の頂点３４から焦点３３までの距離に対して１０％相当の距離を、焦点３３から光軸１８方向で頂点３４から遠ざかる方向に移動した点と、の間の領域をマージン領域４１として設定した。マージン領域４１は、光の収束性に対するマージンがある領域の意味であり、発光素子１６から照射される光の収束性・照度分布が良好な領域である。したがって、図１０に示す状態から図１１に示す状態に発光素子１６の位置を位置ずれさせ、マージン領域４１内に発光素子１６を配置することで、発光素子列の端部付近に位置する発光素子１６および第２反射鏡２３Ｂから照射され照明対象領域３７から照射パターンがはみ出るボケ（光の拡散）を有効に防止できる。
【００３０】
図１０に示すように、本実施形態では、反射鏡２３の曲線の頂点３４から曲線の焦点３３までの距離は１０ｍｍである。このため、発明者らは、上記のマージン領域４１の定義に従い、焦点３３から光軸１８方向で第２反射鏡２３Ｂから遠ざかる方向に０．１０ｍｍの距離を移動した点と、焦点３３から光軸１８方向で第２反射鏡２３Ｂから遠ざかる方向に１．００ｍｍの距離を移動した点と、の間の領域を実際の製品上のマージン領域４１とした。
【００３１】
一方、マージン領域４１よりも焦点３３近傍に位置する領域を第２焦点領域４２として設定した。第２焦点領域４２は、焦点３３から微小距離位置ずれしているが、焦点３３に発光素子１６を設置した場合に比して実質的に差異がない領域として規定される。また、マージン領域４１は、第２焦点領域４２よりも第２反射鏡２３Ｂから遠い位置に設けられる。
【００３２】
第２焦点領域４２は、第２反射鏡２３Ｂの曲線の頂点３４から焦点３３までの距離に対して０％以上１％未満相当の距離を焦点３３から光軸１８方向で頂点３４に近づく方向に移動した点と、第２反射鏡２３Ｂの曲線の頂点３４から焦点３３までの距離に対して０％以上１％未満相当の距離を焦点３３から光軸１８方向で頂点３４から遠ざかる方向に移動した点と、の間の領域として設定される。
【００３３】
本実施形態では、第２反射鏡２３Ｂの曲線の頂点３４から焦点３３までの距離は１０ｍｍである。このため、発明者らは、上記第２焦点領域４２の定義に従い、焦点３３から光軸１８に沿う方向で第２反射鏡２３Ｂに近づく方向に０．１０ｍｍ未満の距離を移動した点と、焦点３３から光軸１８に沿う方向で第２反射鏡２３Ｂから遠ざかる方向に０．１０ｍｍ未満の距離を移動した点と、の間の領域を実際の製品上の第２焦点領域４２とした。なお、第２領域２１Ｂに対応する第２反射鏡２３Ｂおよび発光素子１６において、この第２焦点領域４２内に実際に発光素子１６が配置されることはない。
【００３４】
発明者らは、第１領域２１Ａに対応する発光素子１６および第１反射鏡２３Ａにおいても、第１反射鏡２３Ａの曲面の焦点３３近傍の領域を焦点領域４３として設定した。焦点領域４３は、焦点３３から微小距離位置ずれしているが、焦点３３に発光素子１６を設置した場合に比して実質的に差異がない領域として規定される。第１領域２１Ａに対応する発光素子１６および第１反射鏡２３Ａは、発光素子１６列（照明ユニット１２）の中央に位置しているために、これらから照射される光に照明対象領域３７から照射パターンがはみ出るボケを生じることはない。このため、第１領域２１Ａに対応する位置では、第１反射鏡２３Ａの焦点に発光素子１６を配置してもよいし、或いは焦点３３近傍の焦点領域４３内に発光素子１６を配置してもよい。
【００３５】
焦点領域４３は、図１０に示す第２焦点領域４２とほぼ同様に設定されるため、図１０で代表して焦点領域４３を説明する（この場合、実際の個別光軸３６は、光軸１８と平行である。）。焦点領域４３は、第１反射鏡２３Ａの曲線の頂点３４から焦点３３までの距離に対して０％以上１％未満相当の距離を焦点３３から光軸１８方向で頂点３４に近づく方向に移動した点と、第１反射鏡２３Ａの曲線の頂点３４から焦点３３までの距離に対して０％以上１％未満相当の距離を焦点３３から光軸１８方向で頂点３４から遠ざかる方向に移動した点と、の間の領域である。
【００３６】
本実施形態では、第１反射鏡２３Ａの曲線の頂点３４から曲線の焦点３３までの距離は１０ｍｍである。このため、発明者らは、焦点３３から光軸１８方向で第１反射鏡２３Ａに近づく方向に０．１０ｍｍ未満の距離を移動した点と、焦点３３から光軸１８方向で第１反射鏡２３Ａから遠ざかる方向に０．１０ｍｍ未満の距離を移動した点と、の間の領域を実際の製品上の焦点領域４３とした。
【００３７】
なお、本実施形態では、上記のように製造コスト等に鑑みて、照明装置１１全体の光軸１８方向において、焦点３３から所定距離を位置ずれされた領域をマージン領域４１および第２焦点領域４２として設定したが、マージン領域４１および第２焦点領域４２の設定手法としてはこれに限られるものではない。図１２に示すように、個別の発光素子１６の光軸（個別光軸３６）の方向でマージン領域４１および第２焦点領域４２を設定しても当然によい。この変形例（第１変形例）の場合には、マージン領域４１は、第２反射鏡２３Ｂの曲線の頂点３４から焦点３３までの距離に対して１％相当の距離を、焦点３３から個別光軸３６方向で頂点３４から遠ざかる方向に移動した点と、第２反射鏡２３Ｂの曲線の頂点３４から焦点３３までの距離に対して１０％相当の距離を、焦点３３から個別光軸３６方向で頂点３４から遠ざかる方向に移動した点と、の間の領域として設定した。図１３に示すように、このマージン領域４１内に発光素子１６を配置することで、上記実施形態と同様に、発光素子１６列に端部付近に位置する発光素子１６および第２反射鏡２３Ｂから照射される光の照明対象領域３７から照射パターンがはみ出るボケを有効に防止できる。
【００３８】
図１２に示すように、第１変形例では、第２反射鏡２３Ｂの曲線の頂点３４から曲線の焦点３３までの距離は１０ｍｍである。このため、発明者らは、焦点３３から個別光軸３６方向で第２反射鏡２３Ｂから遠ざかる方向に０．１０ｍｍの距離を移動した点と、焦点３３から個別光軸３６方向で反射鏡２３から遠ざかる方向に１．００ｍｍの距離を移動した点と、の間の領域としてマージン領域４１を設定した。
【００３９】
同様に、第１変形例では、第２焦点領域４２は、第２反射鏡２３Ｂの曲線の頂点３４から焦点３３までの距離に対して０％以上１％未満相当の距離を焦点３３から個別光軸３６方向で頂点３４に近づく方向に移動した点と、第２反射鏡２３Ｂの曲線の頂点３４から焦点３３までの距離に対して０％以上１％未満相当の距離を焦点から個別光軸３６方向で頂点３４から遠ざかる方向に移動した点と、の間の領域である。第１変形例では、第２反射鏡２３Ｂの曲線の頂点３４から曲線の焦点３３までの距離は１０ｍｍである。このため、本変形例では、焦点３３から個別光軸３６方向で第２反射鏡２３Ｂから近づく方向に０．１０ｍｍ未満の距離を移動した点と、焦点３３から個別光軸３６方向で第２反射鏡２３Ｂから遠ざかる方向に０．１０ｍｍ未満の距離を移動した点と、の間の領域として第２焦点領域４２が設定される。
【００４０】
以上より、本実施形態および第１変形例によれば、発光素子１６列の端部付近に位置する発光素子１６および第２反射鏡２３Ｂから照射される光の収束性を改善するために、照明装置１１の光軸１８方向に発光素子１６を位置ずれさせてもよいし、或いは個別の発光素子１６の個別光軸３６方向に発光素子１６を位置ずれさせてもよい。このため、本明細書で「光軸に沿う方向」は、照明装置１１全体としての光軸１８方向と、上記第１変形例に対応して、この光軸１８方向からは所定角度ずれた個々の発光素子１６の光軸方向（個別光軸３６方向）と、の両方を包含する。
【００４１】
続いて、発明者らは、上記の理論上の検討結果に従い、実際の照明装置１１の製品を製造した。図１４に本実施形態の照明ユニット１２の基板２４、発光素子１６、およびミラーブロック２２を示す。ミラーブロック２２に形成された第１反射鏡２３Ａおよび第２反射鏡２３Ｂは、図１４に示すような位置関係で形成した。図１４では、第２領域２１Ｂに対応する位置において、第２反射鏡２３Ｂの曲線の頂点３４から発光素子１６までの距離は、照明装置１１の中央の第１領域２１Ａから遠ざかり照明ユニット１２（発光素子１６列）の端部に近づくにつれて、大きくなるように設定される。このため、照明ユニット１２の端部付近の第２反射鏡２３Ｂの曲線の頂点３４からこれに対応する発光素子１６までの距離は、第１領域２１Ａ近傍の第２反射鏡２３Ｂの曲線の頂点３４からこれに対応する発光素子１６までの距離よりも大きくなる。
【００４２】
照明装置１１の中央（第１領域２１Ａ）に対応する第１反射鏡２３Ａは、焦点領域４３内に発光素子１６が位置するように、焦点３３に対して発光素子１６が±０．０ｍｍの位置ずれ量となるように形成した。なお、この配置は一例であり、第１領域２１Ａに対応する第１反射鏡２３Ａは、上記焦点領域４３の範囲内（焦点３３から光軸１８方向で第１反射鏡２３Ａに近づく方向に０．１０ｍｍ未満の距離を移動した点と、焦点３３から光軸１８方向で第１反射鏡２３Ａから遠ざかる方向に０．１０ｍｍ未満の距離を移動した点と、の間の範囲内）であれば、どの位置でもよい。
【００４３】
第２領域２１Ｂの第１領域２１Ａ側（第１領域２１Ａの近傍）に対応する第２反射鏡２３Ｂは、マージン領域４１内に発光素子１６が位置するように、焦点３３に対して発光素子１６が＋０．２ｍｍの位置ずれ量となるようにした。このとき、第１反射鏡２３Ａの曲線の頂点３４よりも−０．２ｍｍ低くした位置に第２反射鏡２３Ｂの曲線の頂点３４を形成する。これによって、発光素子１６は、焦点３３から光軸１８方向で第２反射鏡２３Ｂから遠ざかる方向に＋０．２ｍｍ位置ずれさせた位置に配置される。なお、焦点３３に対する発光素子１６の位置ずれ量は一例であり、発光素子１６が上記マージン領域４１内にあればどのような位置ずれ量でもよい。第２領域２１Ｂの第１領域２１Ａ側の第２反射鏡２３Ｂにおいて、焦点３３に対する発光素子１６の位置ずれ量は、焦点３３から光軸１８方向又は個別光軸３６方向で第２反射鏡２３Ｂから遠ざかる方向に、例えば、＋０．１ｍｍ〜＋０．２ｍｍ等であってもよい。
【００４４】
第２領域２１Ｂの中央部分に対応する第２反射鏡２３Ｂは、マージン領域４１内に発光素子１６が位置するように、焦点３３に対して発光素子１６が＋０．４ｍｍの位置ずれ量となるようにした。このとき、第１反射鏡２３Ａの曲線の頂点３４よりも−０．４ｍｍ低くした位置に第２反射鏡２３Ｂの曲線の頂点３４を形成する。これによって、発光素子１６は、焦点３３から光軸１８方向で第２反射鏡２３Ｂから遠ざかる方向に＋０．４ｍｍ位置ずれさせた位置に配置される。なお、焦点３３に対する発光素子１６の位置ずれ量は一例であり、発光素子１６がマージン領域４１内にあればどのような位置ずれ量でもよい。第２領域２１Ｂの中央部分に対応する第２反射鏡２３Ｂにおいて、焦点３３に対する発光素子１６の位置ずれ量は、焦点３３から光軸１８方向又は個別光軸３６方向で第２反射鏡２３Ｂから遠ざかる方向に、例えば、＋０．３ｍｍ〜＋０．４ｍｍ等であってもよい。
【００４５】
第２領域２１Ｂの端部側（第１領域２１Ａから遠い側）に対応する第２反射鏡２３Ｂは、マージン領域４１内に発光素子１６が位置するように、焦点３３に対して発光素子１６が＋０．５ｍｍの位置ずれ量となるようにした。このとき、第１反射鏡２３Ａの曲線の頂点３４よりも−０．５ｍｍ低くした位置に第２反射鏡２３Ｂの曲線の頂点３４を形成する。これによって、発光素子１６は、焦点３３から光軸１８方向で第２反射鏡から遠ざかる方向に＋０．５ｍｍ位置ずれさせた位置に配置される。なお、焦点３３に対する発光素子１６の位置ずれ量は一例であり、発光素子１６がマージン領域４１内にあればどのような位置ずれ量でもよい。第２領域２１Ｂの中央部分に対応する第２反射鏡２３Ｂにおいて、焦点３３に対する発光素子１６の位置ずれ量は、焦点３３から光軸１８方向又は個別光軸３６方向で第２反射鏡２３Ｂから遠ざかる方向に、例えば、＋０．５ｍｍ〜＋１．０ｍｍ等であってもよい。
【００４６】
続いて、図１５から図２１を参照して、図１４のように形成された本実施形態の照明ユニット１２の基板２４、発光素子１６、およびミラーブロック２２を備えた照明装置１１のカットオフ特性に関する評価結果について説明する。
【００４７】
図１５に示すように、発光素子から７００ｍｍ離れた位置（規格計測位置）にスクリーン３８（ターゲット）を設置した。このスクリーン３８に照射される光の照度分布を調べることで、照明装置１１のカットオフ特性（患者の目に対する光の入りにくさ）を評価することとした。図１５では、第２領域２１Ｂに対応する第２反射鏡２３Ｂは、端部側（外側）に行くに従い曲線の軸に傾き（角度偏芯）が付与されて、端部側（外側）の発光素子１６および第２反射鏡２３Ｂから照射される光を照明装置１１全体の光軸１８に近づける方向に光を集める様子が示される。このように第２領域２１Ｂに対応する発光素子１６および第２反射鏡２３Ｂから照射される光は、光軸１８上の一領域３５に向けて集光されるとともに、一領域３５の周囲の所定範囲にも広がる。
【００４８】
図１６、図１７に、参考例の照明装置を用いてスクリーン３８に光を照射した結果を示す。参考例の照明装置では、第１反射鏡２３Ａの曲線の焦点３３の位置にこれに対応する発光素子１６を配置させ、第２反射鏡２３Ｂの曲線の焦点３３の位置にこれに対応する発光素子１６を配置させている。このため、参考例では、第２反射鏡２３Ｂの曲線の焦点３３から光軸１８に沿う方向に発光素子１６の位置をずらす（マージン領域４１内に発光素子１６を配置させる）等の手当をしていない。
【００４９】
図１６には、参考例の照明装置から照射される光のスクリーン３８上での照度分布（等高線）を、最大値を６００００ルクス（ｌｘ）としたときの結果を示した。なお、ＪＩＳ規格では、最高照度が１５０００ルクス以上と定められているが、実用上は最高照度が６００００ルクス程度である必要がある。横軸Ｘは、スクリーン３８上での左右方向を示し、縦軸Ｙは、スクリーン３８上での上下方向を示す。この図からは、一見するとカットオフ特性に特段問題がないように見える。図１７では、さらにこの参考例の照明装置から照射される光のスクリーン３８上での照度分布（等高線）を、最大値を１２００ルクスとして低照度域のみを表示したときの結果を示した。その結果、照度分布の四隅の位置（Ｂ−Ｂ´線の位置、Ｃ−Ｃ´線の位置）で、照度分布が乱れていることが分かった。
【００５０】
図１７中の等高線のＡ−Ａ´断面、Ｂ−Ｂ´断面、Ｃ−Ｃ´断面を図１８に示した。図１８から、Ａ−Ａ´断面、Ｂ−Ｂ´断面、Ｃ−Ｃ´断面のいずれでも、ＪＩＳ規格（ＪＩＳ  Ｔ５７５３：２０１２歯科用照明器）で定める基準値である、照明装置の光の中心からＹ軸方向に６０ｍｍ以上離れた位置において１２００ルクス以下という要件を満たすことが分かった。しかしながら、Ｂ−Ｂ´断面、Ｃ−Ｃ´断面に示されるように、参考例の照明装置から出る光の中心からＹ軸方向に６０ｍｍの位置で５００ルクス前後に照度が維持されていた。このため、参考例の照明装置では、カットオフ特性に改善の余地があった。
【００５１】
図１９、図２０に、本実施形態の照明装置１１、すなわち図１４に示す照明ユニット１２の基板２４、発光素子１６、およびミラーブロック２２を備えた照明装置１１を用いてスクリーン３８に光を照射した結果を示す。
【００５２】
図１９には、本実施形態の照明装置１１から照射される光のスクリーン３８上での照度分布（等高線）を、最大値を６００００ルクス（ｌｘ）としたときの結果を示した。横軸Ｘは、スクリーン３８上での左右方向を示し、縦軸Ｙは、スクリーン３８上での上下方向を示す。この図でも上記参考例の場合と同様に、カットオフ特性に特段問題がないように見えた。
【００５３】
図２０では、さらに本実施形態の照明装置１１から照射される光のスクリーン３８上での照度分布（等高線）を、最大値を１２００ルクスとして低照度域のみを表示したときの結果を示した。その結果、照度分布の四隅の位置（Ｂ−Ｂ´線の位置、Ｃ−Ｃ´線の位置）でも、照度分布に乱れを生じていないことが分かった。
【００５４】
図２０中の等高線のＡ−Ａ´断面、Ｂ−Ｂ´断面、Ｃ−Ｃ´断面を図２１に示した。図２１より、Ａ−Ａ´断面、Ｂ−Ｂ´断面、Ｃ−Ｃ´断面のいずれでも、ＪＩＳ規格（ＪＩＳ  Ｔ５７５３：２０１２歯科用照明器）で定める基準値である、照明装置１１の光の中心からＹ軸方向に６０ｍｍ以上離れた位置において１２００ルクス以下という要件を満たしていた。さらに、図２１の結果では、Ｂ−Ｂ´断面、Ｃ−Ｃ´断面に示されるように、当該光の中心からＹ軸方向に６０ｍｍの位置で、５０ルクス前後に照度が低減されており、カットオフ特性に著しい改善が見られた。したがって、本実施形態の照明装置１１を用いて診察・治療を行うことで、患者の目に対する負担を著しく低減できることが確認された。
【００５５】
本実施形態によれば以下のことがいえる。照明装置１１は、光軸と交差する面２１上に設けられた複数の発光素子１６と、複数の発光素子１６に対応するように設けられた複数の反射鏡２３であって、複数の反射鏡２３のそれぞれが、少なくとも一つの焦点３３を有する曲線の断面を有した複数の反射鏡２３と、を備え、複数の反射鏡２３は、光軸と交差する面２１上で光軸１８に対応する中央の第１領域２１Ａに対応して設けられた少なくとも１以上の第１反射鏡２３Ａであって、少なくとも１以上の第１反射鏡２３Ａのそれぞれが、対応する複数の発光素子１６のうちの一つを焦点３３近傍の焦点領域４３内に位置させるように設けられた、少なくとも１以上の第１反射鏡２３Ａと、第１領域２１Ａから光軸１８と交差する方向に外れて光軸と交差する面２１上に位置した第２領域２１Ｂに対応して設けられた少なくとも１以上の第２反射鏡２３Ｂであって、少なくとも１以上の第２反射鏡２３Ｂのそれぞれが、光軸１８上の一領域３５に集光するように角度偏心を持ち、対応する複数の発光素子１６のうちの一つを焦点３３近傍の第２焦点領域４２よりも少なくとも１以上の第２反射鏡２３Ｂのそれぞれから遠い位置に設けられたマージン領域４１内に位置させるように設けられた、少なくとも１以上の第２反射鏡２３Ｂと、を有する。
【００５６】
この構成によれば、照明対象領域３７から照射パターンがはみ出るボケ（光の拡散）を生じやすい第２領域２１Ｂに対応する第２反射鏡２３Ｂにおいて、これに対応する発光素子１６をマージン領域４１内に位置させることで、患者の口腔に光を照射した際に患者の目に光が入ってしまうような照度分布の乱れを効率よく防止できる。これによって、口腔内を明るく照らすことできるように十分な照度を確保しつつ、患者の目に対する負担を低減した理想的な照明装置１１を実現できる。
【００５７】
少なくとも１以上の第２反射鏡２３Ｂは、第１領域２１Ａ側に位置した一方の第２反射鏡２３Ｂと、一方の第２反射鏡２３Ｂよりも第１領域２１Ａから遠い位置に設けられた他方の第２反射鏡２３Ｂと、を含み、他方の第２反射鏡２３Ｂの前記曲線の頂点３４から他方の第２反射鏡２３Ｂに対応する複数の発光素子１６のうちの一つまでの距離は、一方の第２反射鏡２３Ｂの前記曲線の頂点３４から一方の第２反射鏡２３Ｂに対応する複数の発光素子１６のうちの一つまでの距離よりも大きい。
【００５８】
この構成によれば、いわゆる第１領域２１Ａから遠い位置にある第２反射鏡２３Ｂ・発光素子１６ほど、第２反射鏡２３Ｂの曲面の頂点３４と発光素子１６との間の距離を長く確保することができる。これによって、照明対象領域３７から照射パターンがはみ出るボケを生じやすい第１領域２１Ａから遠い位置において、当該発光素子１６から照射される光の収束性（収束度）を高くすることができる。これによって、第１領域２１Ａから遠い位置にある第２反射鏡２３Ｂ・発光素子１６から照射される光に起因する照度分布の乱れをさらに効率よく防止できる。
【００５９】
マージン領域４１は、前記曲線の頂点３４から焦点３３までの距離に対して１％相当の距離を、焦点３３から光軸１８に沿う方向で頂点３４から遠ざかる方向に移動した点と、前記曲線の頂点３４から焦点３３までの距離に対して１０％相当の距離を、焦点３３から光軸１８に沿う方向で頂点３４から遠ざかる方向に移動した点と、の間の領域として規定される。この構成によれば、発光素子１６から照射される光の収束性が最も良好になる範囲をマージン領域４１として設定することができる。
【００６０】
焦点領域４３および第２焦点領域４２は、前記曲線の頂点３４から焦点３３までの距離に対して０％以上１％未満相当の距離を、焦点３３から光軸１８に沿う方向で頂点３４に近づく方向に移動した点と、前記曲線の頂点３４から焦点３３までの距離に対して０％以上１％未満相当の距離を、焦点３３から光軸１８に沿う方向で頂点３４から遠ざかる方向に移動した点と、の間の領域として規定される。この構成によれば、焦点３３近傍の位置を焦点領域４３および第２焦点領域４２として設定することができる。
【００６１】
複数の発光素子１６は、光軸１８と交差する方向に直線的に並ぶ。このように、直線的に発光素子１６が並ぶ場合には、発光素子１６列の端部に行くにつれて中央の第１領域２１Ａからの距離が遠くなることになる。上記の構成によれば、端部側の第２反射鏡２３Ｂ・発光素子１６から照射された光が照明対象領域３７から照射パターンがはみ出るボケを効率よく防止して、患者の口腔に光を照射した際に照度分布に乱れを生じることを防止できる。
【００６２】
複数の発光素子１６のそれぞれは、ＬＥＤである。この構成によれば、省エネルギーのＬＥＤを発光素子１６として採用することで、照明全体としても省エネルギー化した照明装置１１を提供できる。
【００６３】
照明装置１１は、複数の反射鏡２３に対向して設けられた基板２４と、複数の反射鏡２３を露出させるように基板２４に設けられた複数の開口部２７と、基板２４に設けられた複数の支持部２５であって、複数の支持部２５のそれぞれは、複数の開口部２７のそれぞれの内側に位置して複数の発光素子１６のそれぞれを支持した、複数の支持部２５と、を備える。
【００６４】
この構成によれば、発光素子１６の支持と発光素子１６に対する電力供給とを兼ねた構造を基板２４によって実現することができる。これによって、部品点数を少なくできるとともに全体構造をコンパクト化した照明装置１１を実現できる。
【００６５】
複数の発光素子１６は、複数の支持部２５の複数の反射鏡２３に対向する面側に設けられる。この構成によれば、他の光源に比して輝度の高いＬＥＤからの光が直接患者の目に入るような事態を生じることがなく、患者への負担をさらに低減した照明装置１１を実現できる。
【００６６】
第２領域２１Ｂに対応する位置に設けられた複数の支持部２５のそれぞれは、これに対応する少なくとも１以上の第２反射鏡２３Ｂのそれぞれの中央部に対して、第１領域２１Ａから遠ざかる方向に位置ずれしている。この構成によれば、照明装置１１全体の光軸１８に対して近づく方向に個別の発光素子１６の光軸（個別光軸３６）を傾ける構成を簡単な構造によって実現できる。
【００６７】
前記位置ずれの大きさは、第１領域２１Ａから遠ざかるにつれて大きくなる。この構成によれば、第１領域２１Ａから遠ざかるにつれて、個別の発光素子１６の光軸（個別光軸３６）の傾きを大きくする構成を簡単な構造によって実現できる。
【００６８】
以下、図２２、図２３を参照して、第１実施形態の照明装置１１の変形例について説明する。以下の変形例では、主として上記第１実施形態と異なる部分について説明し、第１実施形態と共通する部分は、図示および説明を省略する。
【００６９】
（第１実施形態の第２変形例）  
続いて、図２２を参照して、第１実施形態の照明装置１１の第２変形例について説明する。第２変形例の照明装置１１では、ミラーブロック２２が反射鏡２３ごとに分割されてユニット化されている点で第１実施形態の照明装置１１とは異なっている。
【００７０】
本変形例では、ミラーブロック２２が各反射鏡２３に対応する個別のブロック４４に分割されている。このために、第２反射鏡２３Ｂの曲線の頂点３４と焦点３３との間の距離を自在に変更することができる。これによって、例えば、照明装置１１の支持本体１３に位置調整用のつまみ（ねじ）を設けることで個別のブロック４４の位置（高さ）を微調整することが可能となる。このため、本変形例の照明装置１１は、使用状況に応じて光の収束性（収束度）を変化させたい場合等に特に有用である。
【００７１】
（第１実施形態の第３変形例）  
続いて、図２３を参照して、第１実施形態の照明装置１１の第３変形例について説明する。第３変形例の照明装置１１では、基板２４の表面の高さを変更することで第２反射鏡２３Ｂの曲線の頂点３４とこれに対応する発光素子１６までの距離を調整している点で、第１実施形態の照明装置１１とは異なっている。
【００７２】
本変形例では、第１領域２１Ａから遠ざかるにつれて、反射鏡２３に対向する側の基板２４の表面の高さ、すなわち光軸１８方向に関する基板２４の表面の位置が徐々に低くなる（図２３では、基板２４の表面の位置が徐々上方にシフトする）。このような構造は、例えば、以下の方法で実現できる。基板２４は、多層基板で構成され、第１領域２１Ａから遠ざかるにつれてこれを構成する層の枚数を徐々に少なくして、その厚さが徐々に小さくなるように構成されてもよい。或いは、基板２４は、複数の基板を電気的な接続を取りつつ階段状に接合して、１つの段付きの基板として形成し、基板２４の表面の高さを徐々に低くしてもよい。
【００７３】
本変形例では、照明装置１１の中央（第１領域２１Ａ）に対応する第１反射鏡２３Ａは、焦点領域４３内に発光素子１６が位置するように、焦点３３に対して発光素子１６が±０．０ｍｍの位置ずれ量となるように形成した。なお、この配置は一例であり、第１領域２１Ａに対応する第１反射鏡２３Ａは、上記焦点領域４３の範囲内（焦点３３から光軸１８方向で第１反射鏡２３Ａに近づく方向に０．１０ｍｍ未満の距離を移動した点と、焦点３３から光軸１８方向又は個別光軸３６方向で第１反射鏡２３Ａから遠ざかる方向に０．１０ｍｍ未満の距離を移動した点と、の間の範囲内）であれば、どの位置でもよい。
【００７４】
第２領域２１Ｂの第１領域２１Ａ側（第１領域２１Ａ近傍）に対応する第２反射鏡２３Ｂは、マージン領域４１内に発光素子１６が位置するように、焦点３３に対して発光素子１６が＋０．２ｍｍの位置ずれ量となるようにした。このとき、第１反射鏡２３Ａに対応する発光素子１６の高さよりも、０．２ｍｍ低い位置（図２３では、第１反射鏡２３Ａに対応する発光素子１６よりも０．２ｍｍ上方の位置）に第２反射鏡２３Ｂに対応する発光素子１６を配置した。これによって、発光素子１６は、焦点３３から光軸１８方向で第２反射鏡２３Ｂから遠ざかる方向に＋０．２ｍｍ位置ずれさせた位置に配置される。なお、第２領域２１Ｂの第１領域２１Ａ側に対応する第２反射鏡２３Ｂの位置ずれ量は一例であり、第１実施形態と同様の位置ずれ量をとりえる。
【００７５】
第２領域２１Ｂの中央部分に対応する第２反射鏡２３Ｂは、マージン領域４１内に発光素子１６が位置するように、焦点３３に対して発光素子１６が＋０．４ｍｍの位置ずれ量となるようにした。このとき、第１反射鏡２３Ａに対応する発光素子１６の高さよりも、０．４ｍｍ低い位置（図２３では、第１反射鏡２３Ａに対応する発光素子１６よりも０．４ｍｍ上方の位置）に第２反射鏡２３Ｂに対応する発光素子１６を配置した。これによって、発光素子１６は、焦点３３から光軸１８に方向で第２反射鏡２３Ｂから遠ざかる方向に＋０．４ｍｍ位置ずれさせた位置に配置される。なお、第２領域２１Ｂの中央部分に対応する第２反射鏡２３Ｂの位置ずれ量は一例であり、第１実施形態と同様の位置ずれ量をとりえる。
【００７６】
第２領域２１Ｂの端部側（第１領域２１Ａから遠い側）に対応する第２反射鏡２３Ｂは、マージン領域４１内に発光素子１６が位置するように、焦点３３に対して発光素子１６が＋０．５ｍｍの位置ずれ量となるようにした。このとき、第１反射鏡２３Ａに対応する発光素子１６の高さよりも、０．５ｍｍ低い位置（図２３では、第１反射鏡２３Ａに対応する発光素子１６よりも０．５ｍｍ上方の位置）に第２反射鏡２３Ｂに対応する発光素子１６を配置した。これによって、発光素子１６は、焦点３３から光軸１８方向で第２反射鏡２３Ｂから遠ざかる方向に＋０．５ｍｍ位置ずれさせた位置に配置される。なお、第２領域２１Ｂの端部側に対応する第２反射鏡２３Ｂの位置ずれ量は一例であり、第１実施形態と同様の位置ずれ量をとりえる。
【００７７】
本変形例の照明装置１１によっても、第１実施形態と同様の作用・効果を発揮できる。
【００７８】
［第２実施形態］  
以下、図２４、図２５を参照して、第２実施形態の照明装置１１について説明する。第２実施形態では、照明ユニット１２が１個で構成される点、第１実施形態とは異なっている。以下では、主として上記第１実施形態と異なる部分について説明し、第１実施形態と共通する部分については、図示および説明を省略する。
【００７９】
照明装置１１は、支持本体１３と、支持本体１３と連続するように枠状に設けられたランプシェード部１４と、ランプシェード部１４の遠位側の端部（支持本体１３側の端部とは反対側の端部）を覆うように設けられた透光性のあるカバー１５と、支持本体１３に固定された１個の照明ユニット１２（発光素子１６のアレイ）と、を有する。支持本体１３は、アーム等によって支持され、例えば、患者に対向するように、当該アームを介して所定の位置・角度に支持されることができる。照明装置１１全体としての光軸１８（照明光軸）は、後述する複数の発光素子１６から照射される光の集合によって規定される。光軸１８（照明光軸）は、支持本体１３の中央部を通り、支持本体１３と交差（直交）する中心軸に一致する。
【００８０】
さらに、照明装置１１内には光軸と交差する面２１を定義することができる。光軸と交差する面２１の例として、光軸１８と直交する面を挙げることができるが、これに限られるものではない。光軸と交差する面２１の他の例として、光軸１８と略直交する面であってもよい。
【００８１】
光軸と交差する面２１は、光軸１８に対応する中央の第１領域２１Ａと、第１領域２１Ａから光軸１８と交差する方向に外れた第２領域２１Ｂと、を有する。本実施形態では、光軸１８と交差する方向の例として、左右方向（横方向）が挙げられるが、これに限定されるものではなく、例えば上下方向（縦方向）であっても当然によい。
【００８２】
照明ユニット１２の構成は、第１実施形態と同様である。複数の発光素子１６は、光軸と交差する面２１上で、光軸１８と交差する方向に、略一定の間隔で直線的に並んでいる。
【００８３】
本実施形態によれば、第１実施形態と概ね同様の作用・効果を発揮できる。本実施形態では、発光素子１６の数が少ない分だけ照明装置１１の照度が低下することになるが、例えば、第１実施形態の照明装置１１とは別に、他の製品ラインナップとして低コストの廉価版の照明装置１１を提供したい場合等に特に有用である。
【００８４】
以上のように本発明のいくつかの実施形態を説明したが、これらの実施形態は、例として提示したものであり、発明の範囲を限定することを意図していない。これら新規な実施形態は、その他様々な形態で実施されることが可能であり、発明の要旨を逸脱しない範囲で、種々の省略、置き換え、変更を行うことができる。これら実施形態やその変形は、発明の範囲や要旨に含まれると共に、特許請求の範囲に記載された発明とその均等の範囲に含まれる。
【符号の説明】
【００８５】
１１…照明装置、１２…照明ユニット、１６…発光素子、１８…光軸、２１…光軸と交差する面、２１Ａ…第１領域、２１Ｂ…第２領域、２３…反射鏡、２３Ａ…第１反射鏡、２３Ｂ…第２反射鏡、２４…基板、２５…支持部、２７…開口部、３３…焦点、３４…頂点、４１…マージン領域、４２…第２焦点領域、４３…焦点領域。
【図１】
2018181520.tif 000003
【図２】
2018181520.tif 000004
【図３】
2018181520.tif 000005
【図４】
2018181520.tif 000006
【図５】
2018181520.tif 000007
【図６】
2018181520.tif 000008
【図７】
2018181520.tif 000009
【図８】
2018181520.tif 000010
【図９】
2018181520.tif 000011
【図１０】
2018181520.tif 000012
【図１１】
2018181520.tif 000013
【図１２】
2018181520.tif 000014
【図１３】
2018181520.tif 000015
【図１４】
2018181520.tif 000016
【図１５】
2018181520.tif 000017
【図１６】
2018181520.tif 000018
【図１７】
2018181520.tif 000019
【図１８】
2018181520.tif 000020
【図１９】
2018181520.tif 000021
【図２０】
2018181520.tif 000022
【図２１】
2018181520.tif 000023
【図２２】
2018181520.tif 000024
【図２３】
2018181520.tif 000025
【図２４】
2018181520.tif 000026
【図２５】
2018181520.tif 000027